(57)【要約】【課題】  個包装されていない噛み終わったガムを補助収納室から取り出した捨て紙にくるんだうえ補助収納室に纏めておくことができるなど、使用上便利な補助収納室付き容器を提供する。【解決手段】  補助収納室付き容器は、容器本体とその口部に装着するキャップ３とで構成されている。キャップ３は、容器本体の口部を開閉する蓋構造部４を備えるとともに、蓋構造部４には容器本体と離隔した補助収納室５を形成する。キャップ３は、容器本体の口部に被せて装着する基筒部６に蓋構造部４をヒンジ構造７により連結する。キャップ３の蓋構造部４は、補助収納室５の底部が傾斜面１２でつないだ上下２段の底面１３，１４を形成してある。蓋構造部４の開閉蓋１５は、固定蓋部１６と固定蓋部１６にヒンジ構造１７により連結した開閉蓋部１８で構成されている。【選択図】        図１
2005313983.tif 000002
【特許請求の範囲】
【請求項１】
容器本体とその口部に装着するキャップとで構成され、キャップは、容器本体の口部を開閉する蓋構造部を備えるとともに、蓋構造部には容器本体と離隔した補助収納室を形成してその開閉蓋を備えたことを特徴とする補助収納室付き容器。
【請求項２】
キャップは、容器本体の口部に被せて装着する基筒部に蓋構造部をヒンジ構造により連結した構成であることを特徴とする請求項１記載の補助収納室付き容器。
【請求項３】
キャップの蓋構造部は、補助収納室の底部が傾斜面でつないだ上下２段の底面を形成しており、蓋構造部の開閉蓋は、下段の底面に対応する部分が固定蓋をなし、かつ上段の底面に対応する部分が上記固定蓋部とヒンジ構造により連結した開閉蓋部をなしていることを特徴とする請求項１または２記載の補助収納室付き容器。
【発明の詳細な説明】
【技術分野】
【０００１】
本発明は、容器本体とその口部に装着するキャップからなり、キャップの蓋構造部に開閉自在の補助収納室を形成してある補助収納室付き容器に関するものである。
【背景技術】
【０００２】
従来から粒状のガムなどは、粒ごとの個包装を施さずそのままプラスチック容器などに詰めた態様で流通しているが、ガムのように噛み終わったものを捨てるものは、紙などにくるんだうえ廃棄することが好ましい。このため、実開平６−６７３１４号公報は、ガム容器の外面に連続した捨て紙を貼り付けたものを提案し、また、実開平６−４９３６４号公報はチューインガムの容器に食べかす収納部を嵌め込むものを提案している。なお、容器の口部に開閉蓋を嵌合した蓋付き容器は、特開平１１−４３１６８号公報に記載されている。
【特許文献１】実開平６−６７３１４号公報
【特許文献２】実開平６−４９３６４号公報
【特許文献３】特開平１１−４３１６８号公報
【発明の開示】
【発明が解決しようとする課題】
【０００３】
前掲の実開平６−６７３１４号公報に記載されているガム容器は、容器の外面に捨て紙が備えられているが、捨て紙が外側に露出していて見栄えが悪いばかりか、捨て紙にくるんだガムの一時収納ができないので、使用上の不便さが必ずしも解消されたものではなかった。また、実開平６−４９３６４号公報に記載されているガム容器は、包み紙で個包装されたガムの食べかす処理ができるとしても、個包装されていない粒状のガムの噛み終わり処理には適していないものである。
【０００４】
そこで、本発明は、キャップに容器本体の口部を開閉する蓋構造部を備えるとともに、蓋構造部に容器本体と離隔した補助収納室を形成してその開閉蓋を備えることにより、補助収納室を閉じたまま容器本体の口部を、また容器本体の口部を閉じたまま補助収納部をそれぞれ別個に開閉できて、容器本体の収納物が個包装のものであれば、使用時に捨てる包み紙などを補助収納室に収めておくことができ、補助収納室に予め捨て紙などを用意しておけば、例えば個包装されていない噛み終わったガムを補助収納室から取り出した捨て紙にくるんだうえ補助収納室に纏めておくことができるなど、使用上便利な補助収納室付き容器を提供することを目的とするものである。
【課題を解決するための手段】
【０００５】
上記目的を達成するための本発明の請求項１に係る補助収納室付き容器は、容器本体とその口部に装着するキャップとで構成され、キャップは、容器本体の口部を開閉する蓋構造部を備えるとともに、蓋構造部には容器本体と離隔した補助収納室を形成してその開閉蓋を備えたことを特徴とするものである。
【０００６】
また、請求項２に係る補助収納室付き容器は、請求項１の構成において、キャップは、容器本体の口部に被せて装着する基筒部に蓋構造部をヒンジ構造により連結した構成であることを特徴とするものである。
【０００７】
さらに、請求項３に係る補助収納室付き容器は、請求項１または２の構成において、キャップの蓋構造部は、補助収納室の底部が傾斜面でつないだ上下２段の底面を形成しており、蓋構造部の開閉蓋は、下段の底面に対応する部分が固定蓋をなし、かつ上段の底面に対応する部分が上記固定蓋部とヒンジ構造により連結した開閉蓋部をなしていることを特徴とするものである。
【発明の効果】
【０００８】
本発明によれば、補助収納室を閉じたまま容器本体の口部を、また容器本体の口部を閉じたまま補助収納部をそれぞれ別個に開閉できて、容器本体の収納物が個包装のものであれば、使用時に捨てる包み紙などを補助収納室に収めておくことができ、補助収納室に予め捨て紙などを用意しておけば、例えば個包装されていない噛み終わったガムを補助収納室から取り出した捨て紙にくるんだうえ補助収納室に纏めておくことができるなど、使用上便利な補助収納室付き容器を得ることができる。
【発明を実施するための最良の形態】
【０００９】
図１は本発明の一実施の形態に係る補助収納室付き容器におけるキャップの断面図、図２は同上斜視図、図３は一部の詳細断面図である。
【００１０】
図に示すように、本発明に係る補助収納室付き容器は、容器本体１とその口部２にねじ込みにより装着するキャップ３とで構成されている。キャップ３は、容器本体１の口部２を開閉する蓋構造部４を備えており、蓋構造部４には、容器本体と離隔した補助収納室５が形成されている。
【００１１】
キャップ３の蓋構造部４は、容器本体１の口部２に被せて装着する基筒部６に蓋構造部４をヒンジ構造７により連結した構成であって、８は指掛け部である。蓋構造部４は、その開き側が引き裂き片９により基筒部６に連結されており、使用開始時にこの引き裂き片９を引き裂くと、蓋構造部４はヒンジ構造７により開閉自在となる。蓋構造部４の開き側には係止突起１０が形成されていて、この係止突起１０が蓋構造部４を閉じると口部２の上端段部１１に係止して閉じ状態が保たれるようになっている。
【００１２】
蓋構造部４の補助収納室５は、その底部が傾斜面１２でつないだ上下２段の底面１３，１４に形成されており、蓋構造部４の開閉蓋１５は、下段の底面１３に対応する部分が固定蓋部１６をなし、かつ上段の底面１４に対応する部分が上記固定蓋部１６とヒンジ構造１７により連結した開閉蓋部１８をなしている。１９は指掛け部、２０はその係止溝部であって、開閉蓋部１８を閉じるとその指掛け部１９が係止溝部２０に係止して閉じた状態に保たれる。
【００１３】
図示の補助収納室付き容器は、個包装をしていない粒状ガムの容器であるが、容器本体１にはガムを詰め、補助収納室４には捨て紙２１が予め用意されている。捨て紙２１は補助収納室５の底部の傾斜面１２に立て掛けるように収めておけば、開閉蓋部１８を開いた際に捨て紙２１の上端部を摘んで取り出し易い。容器本体１の口部２を閉じている蓋構造部４を開けばガムを取り出すことができ、噛み終わったガムは開閉蓋部１８を開いて取り出した捨て紙２１にくるんで補助収納室５に収めておくことができる。
【００１４】
本発明に係る補助収納室付き容器は、スチレン−ブタジエン−スチレンブロックコポリマー、スチレン−エチレン−ブチレン−スチレンブロックコポリマー等の熱可塑性エラストマー、低密度ポリエチレン、中密度ポリエチレン、高密度ポリエチレン、直鎖状低密度ポリエチレン、直鎖状超低密度ポリエチレン、ポリプロピレン、プロピレン−エチレン共重合体などのポリオレフィン系樹脂、ポリエチレンテレフタート樹脂、ナイロン−６、ナイロン−６，６などのポリアミド系樹脂、またはエチレン−酢酸ビニル共重合ケン化物などのバリア性を有する熱可塑性樹脂により構成され、容器本体１はブロー成形により、キャップ３は射出成形によりそれぞれ成形するものである。
【図面の簡単な説明】
【００１５】
【図１】本発明の一実施の形態に係る補助収納室付き容器におけるキャップの断面図である。
【図２】同上斜視図である。
【図３】一部の詳細断面図である。
【符号の説明】
【００１６】
１  容器本体
２  口部
３  キャップ
４  蓋構造部
５  補助収納室
６  基筒部
７  ヒンジ構造
８  指掛け部
９  引き裂き片
１０  係止突起
１１  上端段部
１２  傾斜面
１３，１４  上下２段の底面
１５  開閉蓋
１６  固定蓋部
１７  ヒンジ構造
１８  開閉蓋部
１９  指掛け部
２０  係止溝部
２１  捨て紙
【図１】
2005313983.tif 000003
【図２】
2005313983.tif 000004
【図３】
2005313983.tif 000005